(57)【要約】【課題】  剛性確保と軽量化の両立を簡易構造で実現すると共に、屋外床を構築する場合にも容易に劣化しない床パネルの提供。【解決手段】  矩形板状を呈し多孔質構造を有するコア層２と、該コア層２の外面２Ａ・２Ｂ・２Ｃを包被する表層３とから成る複合層構造を有し、該表層３は可塑化した熱可塑性樹脂をシート状に延ばし上記コア層２を包被するように成形し固化して成り、上記表層３の上部内面３Ａｂを上記コア層２の上部外面２Ａに溶着すると共に同表層３の下部内面３Ｂｂを上記コア層２の下部外面２Ｂに溶着した構造を有する床パネル１を提供する。【選択図】  図２
2016135970.tif 000002
【特許請求の範囲】
【請求項１】
矩形板状を呈し多孔質構造を有するコア層と、該コア層の外面を包被する表層とから成る複合層構造を有し、該表層は可塑化した熱可塑性樹脂をシート状に延ばし上記コア層を包被するように成形し固化して成り、上記表層の上部内面を上記コア層の上部外面に溶着すると共に同表層の下部内面を上記コア層の下部外面に溶着した構造を有することを特徴とする床パネル。
【請求項２】
上記コア層の側部外面と上記表層の側部内面間に空隙を形成したことを特徴とする請求項１記載の床パネル。
【請求項３】
上記表層の出隅角部に面取り部を形成したことを特徴とする請求項１又は請求項２に記載の床パネル。
【請求項４】
上記コア層の上部外面又は／及び下部外面が凹凸形態を有していることを特徴とする請求項１乃至請求項３の何れかに記載の床パネル。
【請求項５】
上記コア層の下部外面に複数の肉抜き部を形成し、該コア層の下部の残存部分を梁形状としたことを特徴とする請求項１乃至請求項４の何れかに記載の床パネル。
【請求項６】
上記表層の上部外面を凸曲面状に形成したことを特徴とする請求項１乃至請求項５の何れかに記載の床パネル。
【発明の詳細な説明】
【技術分野】
【０００１】
本発明はベランダ、バルコニー、テラス、ビルの屋上等の屋外や屋内に敷設する床パネルに関するものである。
【背景技術】
【０００２】
従来、合成樹脂の発泡体等の多孔質構造を有する材を利用し軽量化を図った床パネルが知られている。
【０００３】
下記特許文献１は、木質樹脂発泡成形体から成る中央層と熱可塑性樹脂から成る外壁層を有し、上記中央層と上記外壁層とをコ・エクストルージョン押出（共押出）することにより成形した床パネルを開示している。
【０００４】
また下記特許文献２は、凹凸形状を有するプラスチックシートを平板状のプラスチックシートで挾持した三層構造のプラスチック中空板を中央層となる発泡体の上下面にそれぞれ接着し、該各プラスチック中空板の外面にそれぞれ金属板を接着した構造の床パネルを開示している。
【先行技術文献】
【特許文献】
【０００５】
【特許文献１】特開２００９−３０３９０号公報
【特許文献２】特開２０１３−２２７８１７号公報
【発明の概要】
【発明が解決しようとする課題】
【０００６】
上記特許文献１・２の床パネルは、何れも、発泡体を中央層として利用することにより軽量化を図ることができる利点を有するものであるが、それぞれ、次のような問題点を有している。
【０００７】
すなわち上記特許文献１の床パネルは、上記中央層と上記外壁層とを共押出成形するため、該中央層の押出方向の両端部には外壁層を形成できず、殊に屋外床を構築する場合には上記中央層の両端部から雨水等が侵入し該中央層が劣化する問題点を有している。
【０００８】
加えて上記中央層は上記外壁層と同時成形するため、肉抜き部を形成する等の加工を施すことができず、更なる軽量化を図り難い。
【０００９】
上記特許文献２の床パネルは、上記中央層を覆う上記プラスチック中空板が三層構造であり複雑な形態のため、該プラスチック中空板を製造する作業や費用が負担となる問題点を有している。
【００１０】
また床パネルの側部を覆う層が存在せず、殊に屋外床を構築する場合には露出する側部から雨水等が上記中央層へ侵入し劣化する問題点を有している。
【課題を解決するための手段】
【００１１】
本発明は剛性確保と軽量化の両立を簡易構造で実現すると共に、屋外床を構築する場合にも容易に劣化しない床パネルを提供する。
【００１２】
要述すると、本発明に係る床パネルは、矩形板状を呈し多孔質構造を有するコア層と、該コア層の外面を包被する表層とから成る複合層構造を有し、該表層は可塑化した熱可塑性樹脂をシート状に延ばし上記コア層を包被するように成形し固化して成り、上記表層の上部内面を上記コア層の上部外面に溶着すると共に同表層の下部内面を上記コア層の下部外面に溶着した構造を有し、上記多孔質構造を有するコア層により軽量化を図ると共に、歩行荷重等によって発生する圧縮応力及び引張応力に対し上記コア層の上下部と上記表層の上下部とが協働して作用し剛性を確保することができる。また上記コア層の外面（六面）を覆った上記表層により床パネル全体を防水構造とすることができる。
【００１３】
好ましくは、上記コア層の側部外面と上記表層の側部内面間に空隙を形成することにより、歩行荷重等による上記表層の上下部の変形や上記コア層の変形に対し、上記表層の側部が独立して変形し適切に対応する。
【００１４】
また上記表層の出隅角部に面取り部を形成することにより、同所における層厚を保持し健全に上記コア層を覆うことができる。
【００１５】
好ましくは上記コア層の上部外面又は／及び下部外面が凹凸形態を有することにより、上記表層の上部内面と上記コア層の上部外面間又は／及び上記表層の下部内面と上記コア層の下部外面間の溶着を確実なものとする。
【００１６】
加えて上記コア層の下部外面に複数の肉抜き部を形成し、該コア層の下部の残存部分を梁形状としたことにより、剛性を確保しつつ更なる軽量化を図ることができる。
【００１７】
また上記表層の上部外面を凸曲面状に形成し、屋外において雨水等に晒された場合でも該表層の上部外面に溜まり水を生じさせることなく適切に雨水等を逃がすことができる。
【発明の効果】
【００１８】
本発明によれば、簡易構造でありながら、剛性を確保しつつ軽量化を図った床パネルを提供することができる。
【００１９】
また屋外床を構築した場合には、コア層の外面の全てを覆う表層により該コア層への雨水等の浸入を防止して、上記コア層、ひいては床パネル全体の劣化を抑止することができる。
【図面の簡単な説明】
【００２０】
【図１】本発明に係る床パネルを一部切欠して示す斜視図。
【図２】図１の床パネルの中心線断面図。
【図３】コア層の上部外面（下部外面）に溝を刻設し凹凸形態を付与した例を示す斜視図。
【図４】（Ａ）はコア層の上部外面（下部外面）に有底孔を穿設し凹凸形態を付与した例を示す斜視図、（Ｂ）はコア層の上部外面（下部外面）に突起を形成し凹凸形態を付与した例を示す斜視図。
【図５】コア層及び表層の出隅角部の拡大断面図。
【図６】コア層の下部外面に肉抜き部を形成し、該コア層の下部の残存部分を梁形状とした例を示す斜視図。
【図７】肉抜き部を形成したコア層を内在した床パネルの例を示す中心線断面図。
【図８】表層の上部外面を凸曲面状に形成した床パネルの例を示す中心線断面図。
【図９】本発明に係る床パネルを嵩上げ脚を介して床下地面に敷設する工程を説明する斜視図。
【図１０】本発明に係る床パネル上に仕上げパネルを敷設する工程を説明する斜視図。
【図１１】完成した床の構造を示す断面図。
【発明を実施するための形態】
【００２１】
以下、本発明の実施の形態を図１乃至図１１に基づいて説明する。
【００２２】
本発明に係る床パネル１は、図１・図２に示すように、矩形板状を呈し多孔質構造を有するコア層２と、該コア層２の外面である上部外面２Ａ、下部外面２Ｂ及び四つの側部外面２Ｃを包被する表層３とから成る複合層構造を有している。
【００２３】
＜コア層の構成＞
上記コア層２は、例えば既知のゴムスポンジ、又はポリスチレン、ポリオレフィン等の合成樹脂を単独又は複合して用い発泡させた発泡体等の軽量で且つ成形容易な多孔質構造を有する材を用いて矩形板状に成形する。好ましくは該コア層２の上部外面２Ａ又は／及び下部外面２Ｂには、上記表層３の上部内面３Ａｂ又は／及び下部内面３Ｂｂとの溶着を確実ならしめるために次のように凹凸形態を付与する。
【００２４】
すなわち図２・図３に示すように、上記コア層２の上部外面２Ａ及び下部外面２Ｂにそれぞれの面を縦断する縦溝４Ａ及び同横断する横溝４Ｂを刻設して凹凸形態を付与し、該凹凸形態に倣い表層３の構成材の塑性変形を促してアンカー効果を得て溶着を確実ならしめ、床パネル１全体の剛性を確保する。又は上記上部外面２Ａと上記下部外面２Ｂの何れか一方に縦溝４Ａ及び横溝４Ｂを刻設して凹凸形態を付与する。なお、上記縦溝４Ａ及び上記横溝４Ｂの断面形状は特に限定はなく、例えば断面Ｕ字状、断面Ｖ字状、断面コ字状とすることも実施に応じ任意である。
【００２５】
又は図４（Ａ）に示すように、上記コア層２の上部外面２Ａ又は／及び下部外面２Ｂに多数の有底孔５を穿設し凹凸形態を付与しても良い。又は図４（Ｂ）に示すように、上記コア層２の上部外面２Ａ又は／及び下部外面２Ｂに多数の突起６を突設し凹凸形態を付与しても良い。なお上記有底孔５の孔形状や上記突起６の突起形状は表層３の構成材のアンカー効果を得ることができれば特に限定はない。
【００２６】
また図５にも示すように、上記コア層２の出隅角部にはそれぞれ面取り部７を形成する。該面取り部７は、上記コア層２の出隅角部における表層３の構成材（熱可塑性樹脂）の塑性変形を円滑にすると共に同所における成形後の表層厚を確保し、床パネル１全体の剛性確保に貢献する。なお図中８は成形固化後に表層３に形成される面取り部である。
【００２７】
好ましくは図６・図７に示すように、上記コア層２の下部外面２Ｂに複数の肉抜き部１１を形成し、該コア層２の下部の残存部分を梁形状とし、剛性を確保しつつ更なる軽量化を図ることができる。この場合に上記残存した下部の外面２Ｂに凹凸形態を付与することができるのは勿論である。なお、図中の１３は肉抜き部１１によって形成された梁を示している。
【００２８】
また図８に示すように、上記コア層２の上部外面２Ａをその中央部を頂部とする凸曲面状に形成することができる。この場合には該コア層２の上部外面２Ａの凸曲面状に倣って表層３が成形され、該表層３の上部外面３Ａａを凸曲面状に形成することができ、屋外床を構築する場合には、雨水等による溜まり水を適切に表層３の上部外面３Ａａから逃がすことができる。
【００２９】
＜表層３の構成＞
上記表層３は可塑化した熱可塑性樹脂をシート状に延ばし、図２に示すように、既述した構成の予め成形したコア層２を包被するように成形し固化して成る。
【００３０】
例えば可塑化した一対の熱可塑性樹脂シートをそれぞれコア層２の上部側及び下部側から宛がい、該各熱可塑性樹脂シートを一対の金型で圧接し、該コア層２の上部外面２Ａに一方の熱可塑性樹脂シートの内面を溶着すると共に、同下部外面２Ｂに他方の熱可塑性樹脂シートの内面を溶着し、更に両方の熱可塑性樹脂シートの縁部をコア層２の側部上で融着した後、固化させて形成する。
【００３１】
上記熱可塑性樹脂としては、ポリプロピレン、ポリエチレン、ポリスチレン等の既知の熱可塑性樹脂を利用する。また剛性を高めるために上記熱可塑性樹脂にタルクの粉末、合成樹脂繊維等の補強材を添加することも実施に応じ任意である。
【００３２】
上記溶着の際には、図２・図５に示すように、表層３の構成材である上記熱可塑性樹脂が上記コア層２の上部外面２Ａ又は／及び下部外面２Ｂが有する上記凹凸形態に倣って塑性変形しアンカー効果を得た状態で成形固化して上記表層３を形成する。
【００３３】
また上記コア層２の下部外面２Ｂに肉抜き部１１を形成した場合には、図７に示すように、該肉抜き部１１の開口縁に沿って表層３の構成材たる熱可塑性樹脂が盛り上がって固化し、成形固化後の表層３の下部内面３Ｂｂに突条リブ１２を形成する。該突条リブ１２は、図７に示すように、上記梁１３の自由端、すなわち残存したコア層２の下部外面２Ｂを挾持し、該梁１３と協働してコア層２の下部側の剛性を確保する。
【００３４】
上記のように、上記表層３は該表層３の上部内面３Ａｂを上記コア層２の上部外面２Ａに溶着すると共に同表層３の下部内面３Ｂｂを上記コア層２の下部外面２Ｂに溶着した構造を有する。当該構造により床パネル１が歩行荷重を荷受けする際に、圧縮応力が生ずる床パネル１の上部側及び引張応力が生ずる下部側においてコア層２と表層３とが協働して作用することができ、適切に剛性を確保する。
【００３５】
また既述のように、上記コア層２の出隅角部を覆う部位には該コア層２の出隅角部に形成した面取り部７に沿って面取り部８を形成し、該コア層２の出隅角部を適切に覆いつつ層厚を保持し、床パネル１全体の剛性を確保する。
【００３６】
また上記表層３は、側部外面３Ｃａを外方に僅かに膨出するように成形して膨出部９を形成すると共に、側部内面３Ｃｂと上記コア層２の側部外面２Ｃ間に空隙１０を画成する構造を有する。つまり上記一対の熱可塑性樹脂シートのそれぞれの縁部をコア層２の側部外面２Ｃから僅かに離間して融着し上記膨出部９及び上記空隙１０を形成する。
【００３７】
よって歩行荷重等によって発生した圧縮応力や引張応力により、床パネル１の上部（コア層２及び表層３の上部）や下部（コア層２及び表層３の下部）が変形した場合でも、上記した膨出部９を有する表層３の側部が独立した状態で適切に対応する。
【００３８】
加えて本発明に係る床パネル１を多数敷設して床を構築する際には、後記するように、上記膨出部９及び上記空隙１０により、隣接する床パネル１の側部間に上下部で拡開する遊間１４を形成し、該遊間１４を介して雨水等を逃がすことができる。特に図８に示すように、コア層２の上部外面２Ａ及び表層３の上部外面３Ａａを凸曲面状に形成した場合には表層３の上部外面３Ａａから逃がされた雨水等を上記遊間１４を介してスムーズに下方に逃がすことができる。
【００３９】
＜床構築例＞
次に本発明に係る床パネル１を用いて床を構築する例について説明する。ここではベランダやバルコニー等の屋外の床下地面Ｇに屋外床を構築する例について説明する。
【００４０】
屋外床構築に際しては、まず床下地面Ｇに高さ調節可能な嵩上げ脚Ｌをその支持台Ｌａのレベル及び傾斜を調整しつつ所定間隔を置いて複数設置し、図９に示すように、該各嵩上げ脚Ｌの支持台Ｌａに隣接する四枚の床パネル１の対置された四つの角部１ａを一緒に荷受しつつ多数枚の床パネル１を一平面となるように敷設する。なお実施に応じ床パネル１の角部１ａ以外の部分を嵩上げ脚Ｌで支持することも任意である。
【００４１】
この際には、例えば図９に示す嵩上げ脚Ｌのように、支持台Ｌａに定規部Ｌｂを突設したものを利用し、該定規部Ｌｂにて隣接する床パネル１の側部間に遊間を形成しつつ敷設する。
【００４２】
また図９中に１′で示すように、床下地面Ｇの端部においては端部の寸法や形状に合わせて加工した床パネルを敷設することは勿論である。
【００４３】
次いで、図１０に示すように、上記のように一平面に敷設した床パネル１上に多数枚の仕上げパネル（化粧パネル）Ｆを一平面となるように置き敷きし、屋外床の構築が完了する。
【００４４】
上記構築した屋外床において、図１１に示すように、隣接する床パネル１の側部間には遊間１４が形成されることとなるが、本発明に係る床パネル１にあっては、その側部（表層３の側部）に形成された膨出部９により上記遊間１４の形状を上部開口及び下部開口が拡開する形状に形成することができる。
【００４５】
したがって上記仕上げパネルＦを通じて垂下してきた雨水等を適切に上記遊間１４を介して下方に逃がすことができる。
【００４６】
また既述したように、表層３の上部外面３Ａａを凸曲面状に形成した場合には、よりスムーズに雨水等を排水することができる。
【００４７】
以上述べたように、本発明に係る床パネル１は多孔質構造を有するコア層２と該コア層２の外面２Ａ・２Ｂ・２Ｃを包被する表層３とから成る複合層構造を有し、上記コア層２を多孔質構造材料で成形することにより軽量化を図る。
【００４８】
また上記表層３は可塑化した熱可塑性樹脂をシート状に延ばし上記コア層２を包被するように成形し固化して成り、上記表層３の上部内面３Ａｂを上記コア層２の上部外面２Ａに溶着すると共に同表層３の下部内面３Ｂｂを上記コア層２の下部外面２Ｂに溶着した構造を有する。加えて上記表層３の側部は膨出部９を形成し空隙１０を介して上記コア層２の側部と離間する構造を有する。
【００４９】
よって一体化した上記コア層２上部と上記表層３上部とが協働して剛性を確保すると共に、上記コア層２側部と離間した上記表層３側部が独立した状態で存し、歩行荷重等により上記表層３や上記コア層２の上下部が変形した場合も適切に対応できる。また上記表層３側部の膨出部９により、隣接する床パネル１の側部間に上下で拡開する遊間１４を形成して雨水等を適切に逃がすことができる。
【００５０】
また本発明に係る床パネル１は、予め成形した上記コア層２に対し上記表層３を成形するため、既述のように、上記コア層２に凹凸形態を付与すること（縦溝４Ａ・横溝４Ｂの刻設、有底孔５の穿設、突起６の突設）、上記肉抜き部１１を形成すること、及び上部外面２Ａを凸曲面形状とすること等の剛性確保や更なる軽量化のための加工を上記コア層２に施すことができる。
【００５１】
さらに上記表層３を成形する際に用いる金型を加工して、該表層３の上部外面３Ａａに上記仕上げパネルＦの滑り止め用の凹凸形態を付すことも可能である。
【符号の説明】
【００５２】
１，１′…床パネル、１ａ…角部、２…コア層、２Ａ…上部外面、２Ｂ…下部外面、２Ｃ…側部外面、３…表層、３Ａａ…上部外面、３Ａｂ…上部内面、３Ｂａ…下部外面、３Ｂｂ…下部内面、３Ｃａ…側部外面、３Ｃｂ…側部内面、４Ａ…縦溝、４Ｂ…横溝、５…有底孔、６…突起、７…コア層の面取り部、８…表層の面取り部、９…膨出部、１０…空隙、１１…肉抜き部、１２…突条リブ、１３…梁、１４…遊間、Ｇ…床下地面、Ｌ…嵩上げ脚、Ｌａ…支持台、Ｌｂ…定規部、Ｆ…仕上げパネル。
【図１】
2016135970.tif 000003
【図２】
2016135970.tif 000004
【図３】
2016135970.tif 000005
【図４】
2016135970.tif 000006
【図５】
2016135970.tif 000007
【図６】
2016135970.tif 000008
【図７】
2016135970.tif 000009
【図８】
2016135970.tif 000010
【図９】
2016135970.tif 000011
【図１０】
2016135970.tif 000012
【図１１】
2016135970.tif 000013
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
矩形板状を呈し多孔質構造を有するコア層と、該コア層の外面を包被する表層とから成る複合層構造を有し、該表層は熱可塑性樹脂から成り、該表層の上部内面を上記コア層の上部外面に溶着した構造と同表層の下部内面を上記コア層の下部外面に溶着した構造を有すると共に、同表層の側部内面と上記コア層の側部外面間に空隙を形成した構造を有することを特徴とする床パネル。
【請求項２】
上記表層の出隅角部に面取り部を形成したことを特徴とする請求項１記載の床パネル。
【請求項３】
上記コア層の上部外面又は／及び下部外面が凹凸形態を有していることを特徴とする請求項１又は請求項２に記載の床パネル。
【請求項４】
上記コア層の下部外面に複数の肉抜き部を形成し、該コア層の下部の残存部分を梁形状としたことを特徴とする請求項１乃至請求項３の何れかに記載の床パネル。
【請求項５】
上記表層の上部外面を凸曲面状に形成したことを特徴とする請求項１乃至請求項４の何れかに記載の床パネル。
【手続補正２】
【補正対象書類名】明細書
【補正対象項目名】００１２
【補正方法】変更
【補正の内容】
【００１２】
要述すると、本発明に係る床パネルは、矩形板状を呈し多孔質構造を有するコア層と、該コア層の外面を包被する表層とから成る複合層構造を有し、該表層は熱可塑性樹脂から成り、該表層の上部内面を上記コア層の上部外面に溶着した構造と同表層の下部内面を上記コア層の下部外面に溶着した構造を有すると共に、同表層の側部内面と上記コア層の側部外面間に空隙を形成した構造を有し、上記多孔質構造を有するコア層により軽量化を図ると共に、歩行荷重等によって発生する圧縮応力及び引張応力に対し上記コア層の上下部と上記表層の上下部とが協働して作用し剛性を確保することができると共に、歩行荷重等による上記表層の上下部の変形や上記コア層の変形に対し、上記表層の側部が独立して変形し適切に対応する。また上記コア層の外面（六面）を覆った上記表層により床パネル全体を防水構造とすることができる。
【手続補正３】
【補正対象書類名】明細書
【補正対象項目名】００１３
【補正方法】削除
【補正の内容】